(57)【要約】【課題】  意匠性の高い容器外観を実現しつつ、容易且つ安価に液体の詰め替えが行えるポンプ付き液体供給容器を提供する。【解決手段】  上部に円形のフランジを有する箱体状に形成され、前記フランジ上面にフィルムを接着又は溶着して箱体内部に液体を収納する液体詰め替え用容器と、液体を吐出するポンプと前記ポンプの下方に延接した液体吸込用パイプを含むポンプユニットを有し、前記液体詰め替え用容器に装着するポンプ付き蓋部と、で構成され、前記ポンプ付蓋部は、前記液体詰め替え用容器を上部より覆うような略釣鐘状の硬質樹脂製スカートを備え、前記スカートは、前記液体詰め替え用容器のフランジを嵌入して、前記ポンプ付蓋部と前記液体詰め替え用容器とを固定するための爪部がその内側に形成されている。【選択図】図１
2010083578.tif 000002
【特許請求の範囲】
【請求項１】
上部に円形のフランジを有する箱体状に形成され、前記フランジ上面にフィルムを接着又は溶着して箱体内部に液体を収納する液体詰め替え用容器と、
液体を吐出するポンプと前記ポンプの下方に延接した液体吸込用パイプを含むポンプユニットを有し、前記液体詰め替え用容器に装着するポンプ付き蓋部と、で構成され、
前記ポンプ付蓋部は、前記液体詰め替え用容器を上部より覆うような略釣鐘状の硬質樹脂製スカートを備え、
前記スカートは、前記液体詰め替え用容器のフランジを嵌入して、前記ポンプ付蓋部と前記液体詰め替え用容器とを固定するための爪部がその内側に形成されていることを特徴とするポンプ付液体供給容器。
【請求項２】
前記フィルムの前記液体吸込用パイプが貫通する位置には、前記液体吸込用パイプの外径より僅少なる直径を有する貫通孔が予め形成されていることを特徴とする請求項１に記載のポンプ付液体供給容器。
【請求項３】
前記貫通孔の近傍には、極小径の空気孔が更に形成されていることを特徴とする請求項２に記載のポンプ付液体供給容器。
【請求項４】
前記貫通孔及び前記空気孔は、剥離可能なシート状シールで予め覆われていることを特徴とする請求項３に記載のポンプ付液体供給容器。
【発明の詳細な説明】
【技術分野】
【０００１】  本発明は、詰め替え用の容器で内容物の補充が行えるポンプ付液体供給容器に関し、特に、容易且つ安価に液体の詰め替えを行うことが可能な意匠性の高いポンプ付液体供給容器に関する。
【背景技術】
【０００２】  化粧品や香水、シャンプーや液体洗剤など、手動ポンプ付きの容器に液体を貯蔵して使用する形態の商品では、容器本体を再利用できるように詰め替え用液体を別容器で供給するシステムが普及している。例えば、本発明の出願人は、従来、高級な化粧品などにおいて、容器本体だけでなく詰め替え用容器にも高級なブランドイメージを化体できるように、意匠性の高い液体詰め替え用容器、及びそれにポンプユニットを装備した蓋部を装着したポンプ付液体供給容器を提案してきた（例えば、特許文献１参照）。【０００３】
【特許文献１】特願２００４−１５８３８２号公報（第５−６頁、第１図）
【発明の開示】
【発明が解決しようとする課題】
【０００４】  ところで、上記従来のポンプ付液体供給容器は蓋部に軟質樹脂を採用し、蓋部と液体詰め替え用容器との間の密封性を確保する構成とした。しかしながら、実際には、液体詰め替え用容器にはラミネートフィルムなどが溶着等されており、液体吸込用パイプの貫通穴も小さいことから、容器が倒れても液漏れすることはほとんどなく過剰品質であった。また、脱着が煩雑で、頻繁な着脱により劣化しやすい軟質樹脂製の蓋部は、更に、液体詰め替え用容器と比較してカラフルな着色ができず高級感を演出できないなど、意匠上の自由度も低いという問題があった。【０００５】  加えて、昨今のリサイクルや省資源化に対する消費者意識の向上や、原油価格高騰に伴う原材料費上昇分をできるだけ販売価格に転嫁させたくないとのメーカー側の要請などから、大量生産される詰め替え用容器は、できるだけシンプルな形状で安価に製造せざるを得ない状況となっている。その一方で、他社との差別化を図るため、やはり商品のパッケージはデザイン性の高いものにしたいというメーカー側の潜在的なニーズは根強いものがある。【０００６】  そこで本発明は上記従来の課題に鑑みてなされたものであり、ポンプ付き蓋部に成型や着色に係る自由度が高い硬質樹脂製のスカートを装備し、このポンプ付蓋部を汎用の液体詰め替え用容器に装着して固定することにより、意匠性の高い容器外観を実現しつつ、容易且つ安価に液体の詰め替えが行えるポンプ付き液体供給容器を提供することを目的とする。
【課題を解決するための手段】
【０００７】  上記課題を解決するため、本発明のポンプ付液体供給容器は、上部に円形のフランジを有する箱体状に形成され、前記フランジ上面にフィルムを接着又は溶着して箱体内部に液体を収納する液体詰め替え用容器と、液体を吐出するポンプと前記ポンプの下方に延接した液体吸込用パイプを含むポンプユニットを有し、前記液体詰め替え用容器に装着するポンプ付き蓋部と、で構成され、前記ポンプ付蓋部は、前記液体詰め替え用容器を上部より覆うような略釣鐘状の硬質樹脂製スカートを備え、前記スカートは、前記液体詰め替え用容器のフランジを嵌入して、前記ポンプ付蓋部と前記液体詰め替え用容器とを固定するための爪部がその内側に形成されていることを特徴とする。
上記構成によれば、ポンプ付蓋部を液体詰め替え用容器に装着することにより、液体詰め替え用容器がスカートで覆われ、外観の大部分をスカートが占める容器とすることができる。しかも、スカートは形状や色を自由に選択できるので、容器外観の意匠に多様なバリエーションを施すことができる。また、汎用の液体詰め替え用容器を用いるので容易且つ安価に詰め替えを行うことができる。更に、ポンプ付蓋部は構成が単純であるため、蓋側の製造コストも低減することができる。また、着脱が容易で、詰め替え時における使用性能を向上させることができる。【０００８】  また、本発明のポンプ付液体供給容器は、請求項１に記載のポンプ付液体供給容器であって、前記フィルムの前記液体吸込用パイプが貫通する位置には、前記液体吸込用パイプの外径より僅少なる直径を有する貫通孔が予め形成されていることを特徴とする。
上記構成によれば、ポンプ付蓋部を液体詰め替え用容器に装着する際、液体吸込用パイプを容易に貫入することができる。【０００９】  また、本発明のポンプ付液体供給容器は、請求項２に記載のポンプ付液体供給容器であって、前記貫通孔の近傍には、極小径の空気孔が更に形成されていることを特徴とする。
上記構成によれば、液体吸込用パイプを介して液体が外部へ吐出される際に容器内の空気置換が行われるので、液体を外部へ円滑に供給できる。【００１０】  また、本発明のポンプ付液体供給容器は、請求項３に記載のポンプ付液体供給容器であって、前記貫通孔及び前記空気孔は、剥離可能なシート状シールで予め覆われていることを特徴とする。
上記構成によれば、貫通孔及び空気孔からの液体の漏洩が防止されるため、液体詰め替え用容器を単体で搬送、携帯等することが可能となる。
【発明の効果】
【００１１】  本発明のポンプ付液体供給容器によれば、外観の大部分を占めるスカートに多様なデザインや着色を施すことにより意匠性の高い容器外観を実現することができる。また、スカートの内側に収容される液体詰め替え用容器は汎用品を使用できるため、容易且つ安価に液体の詰め替えが行える。
【発明を実施するための最良の形態】
【００１２】  以下、本発明の実施の形態におけるポンプ付液体供給容器について、図面を用いて詳細に説明する。【００１３】  図１は、本発明の実施の形態におけるポンプ付液体供給容器の外観を示す斜視図である。ポンプ付液体供給容器は、主に、ポンプユニット１０とスカート２０を含むポンプ付蓋部１００、液体詰め替え用容器２００、などで構成される。【００１４】  ポンプユニット１０は、プッシュ式のポンプで、ポンプヘッド１１およびノズル１２の下方には、可撓性樹脂または硬質ゴムなどで形成された液体吸込用パイプ１３が液体詰め替え用容器部２００の底面に到達する程度にまで延設されている。ポンプヘッド１１を手動で押下することにより容器内の液体が吸引され、ノズル１２から吐出される。【００１５】  スカート２０は、ポリカーボネイトやＡＢＳ樹脂などの硬質樹脂で形成され、その登頂部には螺合によりポンプユニット１０が装着されている。図に示すように、スカート２０は釣鐘状の形状で、液体詰め替え用容器２００をほぼ覆うように装着される。例えば、スカート２０の下方開口部を波打った形状に成型するなど、斬新なデザインにより高い意匠性を実現することができる。その他にも、スカート２０の表面にディンプル加工を施したり、塗装を行ったりすることで容器の外観に高い意匠性を付与することができる。【００１６】  図に示すように、スカート２０の内側には中心方向に屹立させた爪部２１、２２が形成されている。この爪部２１、２２に、後述する液体詰め替え用容器２００の円盤状フランジ２０１が嵌入されてポンプ付蓋部１００と液体詰め替え用容器２００とが固定される。４箇所の爪部は２種類の形状に加工されており、爪部２１は液体詰め替え用容器２００のフランジ２０１を上から、爪部２２はフランジ２０１を下から押さえてポンプ付蓋部１００と液体詰め替え用容器２００が固定される。尚、爪部２２の直上には、金型加工を容易とするための孔が形成されている。【００１７】  次に、図２は、本発明の実施の形態におけるポンプ付液体供給容器の、液体詰め替え用容器２００の外観を示す斜視図である。液体詰め替え用容器２００は、円盤状のフランジ２０１と液体を収納する箱体部２０２を有する。フランジ２０１の上面にはフィルム２０３が接着又は溶着され、更に、フィルム２０３の上面には、液体吸込用パイプ１３を貫入させる貫通孔２０４や液体吐出時の空気の置換を促す空気孔２０５を封止するための封止シール２０６が接着されていて、液体の漏洩を防止する。【００１８】  上述のように、ポンプ付蓋部１００は構成が単純であるため、蓋側の製造コストも低減することができる。また、着脱が容易であり、従来と比較して詰め替え時における使用性能を向上させることができる。また、ポンプ付蓋部１００は、スカート２０が液体詰め替え用容器２００を覆うような構成であるため、液体詰め替え用容器２００に意匠性を考慮する必要がなく、安価な汎用の詰め替え用容器を用いることができる。【００１９】  図３は、本発明の実施の形態におけるポンプ付液体供給容器の、液体詰め替え用容器２００にポンプ付蓋部１００を装着する様子を説明するための図である。液体詰め替え用容器２００にポンプ付き蓋部１００を装着す��際は、封止シール２０６をフィルム２０３から剥がして、貫通孔２０４及び空気孔２０５を露出させ、液体吸込用パイプ１３を貫入させながらフランジ部２０１を前述の爪部２１、２２に嵌入する。【００２０】  尚、フィルム２０３は、樹脂製シート材に限らず、例えば、アルミニウム合金箔の両面に合成樹脂をコーティングしたり張り合わせたりして作製したフィルムなど、アルミニウム合金箔をベースとした公知のキャップシール材などを用いてよい。また、封止シール２０６も合成樹脂製のシートや合成樹脂をコーティングした紙など、公知のシール材を用いてよい。更に、封止シール２０６は、図２に示すように貫通孔２０４や空気孔２０５の近傍のみを覆うような形状でもよいし、フィルム２０３の全体を覆うような形状としてもよい。【００２１】  ところで、フィルム２０３に貫入させる液体吸込用パイプ１３の末端は、図３に示すように、切欠きまたはテーパを形成して先端が尖った形状とすることが好ましい。これにより、液体吸込用パイプ１３の貫入が容易に行える。また、貫通孔２０４の直径は、液体吸込用パイプ１３の外径より僅かに小さい程度としている。これにより、液体吸込用パイプ１３の貫入時にフィルム２０３と液体吸込用パイプ１３が隙間なく密着する。【００２２】  次に、図４は、本発明の実施の形態におけるポンプ付液体供給容器の使用時における状態を説明するための図である。製造時に螺合、封止されているポンプヘッド１１を反対方向に捻るとポンプのバネ（図示省略）によりポンプヘッド１１が上昇する。使用時にはこのポンプヘッド１１を押下することにより充填されている液体が吸引され吐出する。【００２３】  尚、以上の実施の形態ではプッシュ式のポンプを用いたが、これにとらわれるものではなく、その他にもトリガ式などあらゆる手動式のポンプを用いても本発明の要旨が実行可能であることは言うまでもない。
【産業上の利用可能性】
【００２４】  本発明にかかわるポンプ付液体供給容器は、意匠性の高い容器外観を実現しつつ、容易且つ安価に液体の詰め替えが行えるという効果を有し、化粧品やシャンプーなど容器の意匠性が重視されるポンプ付液体供給容器において有用である。
【図面の簡単な説明】
【００２５】
【図１】  本発明の実施の形態におけるポンプ付液体供給容器の外観を示す斜視図
【図２】  本発明の実施の形態におけるポンプ付液体供給容器の、液体詰め替え用容器の外観を示す斜視図
【図３】  本発明の実施の形態におけるポンプ付液体供給容器の、液体詰め替え用容器にポンプ付蓋部を装着する様子を説明するための図
【図４】  本発明の実施の形態におけるポンプ付液体供給容器の使用時における状態を説明するための図
【符号の説明】
【００２６】１０  ポンプユニット
１１  ポンプヘッド
１２  ノズル
１３  液体吸込用パイプ
２０  スカート
２１、２２  爪部
１００  ポンプ付蓋部
２００  液体詰め替え用容器
２０１  フランジ
２０２  箱体部
２０３  フィルム
２０４  貫通孔
２０５  空気孔
２０６  封止シール
【図１】
2010083578.tif 000003
【図２】
2010083578.tif 000004
【図３】
2010083578.tif 000005
【図４】
2010083578.tif 000006